(57)【要約】    【課題】  本発明は、材料の無駄を極力削減し、コストを低減することが可能な包装容器を提供することを目的とする。    【解決手段】本発明に係る包装容器１０は、上方が開口し、有底で周囲に壁部を有し、壁部上縁には外方に突出した鍔部を有する複数の同一構成のトレーＡを鍔部が重なるように並べ、鍔部全体に枠体Ｂを貼付することにより前記複数のトレーＡを連結してなる包装容器であって、前記枠体Ｂは、外周枠Ｂ１〜Ｂ４と仕切枠ｂ１，ｂ２とからなることを特徴とするものである。    【選択図】  図４
2008254743.tif 000002
【特許請求の範囲】
【請求項１】
上方が開口し、有底で周囲に壁部を有し、壁部上縁には外方に突出した鍔部を有する複数の同一構成のトレーを鍔部が重なるように並べ、鍔部全体に枠体を貼付することにより前記複数のトレーを連結してなる包装容器であって、
前記枠体は、２つ以上の外周枠と１つ以上の仕切枠とからなる
ことを特徴とする包装容器。
【請求項２】
トレーは、その外壁面が紙製であり、内壁面が合成樹脂被覆面であることを特徴とする請求項１に記載の包装容器。
【請求項３】
仕切枠には切離線が配されていることを特徴とする請求項１又は２に記載の包装容器。
【請求項４】
外周枠には２つのコの字型の枠が含まれてなることを特徴とする請求項１〜３のいずれか１項に記載の包装容器。
【発明の詳細な説明】
【技術分野】
【０００１】
本発明は、複数のトレーを一体的に備えた包装容器に関する。
【背景技術】
【０００２】
今日、弁当に詰める総菜等の食品が冷凍食品として販売されており、このような冷凍食品は、通常、複数のトレーを連結した包装容器の各トレーに調理済みの食品を収納した状態で冷凍されていて、包装容器から調理済み食品を収納したトレーを仕切部分で個別に分離し、電子レンジなどでこの冷凍された調理済み食品を加熱するなどの再調理を行った後、再調理を行った調理済み食品を収納したトレーをそのまま弁当に詰め込むことができるようになっている。
【０００３】
従来の上記包装容器１００は、例えば同一構成のトレー４個をそれぞれ鍔部が重なり合うように田の字型に並べ、図９及び図１０に示すように、前記トレーの鍔部により構成される田の字型に合致する田の字型の枠体１１０をトレー全体の鍔部に貼付することにより連結していた。
【発明の開示】
【発明が解決しようとする課題】
【０００４】
しかしながら、上記のような従来の包装容器の作成においては、外周枠１１２と仕切枠１１３とが一体になった田の字型の枠体１１０を作成するために、その開口部分１１１をくり抜く必要があり、材料が無駄になるためコスト高の要因の一つであった。その理由は、外周枠１１２が閉じた形状であるため、開口部分１１１をくり抜いた紙片を枠体１１０の作成に利用できないことによる。
【０００５】
そこで、本発明者は、上記の実情に鑑み、鋭意研究を重ねた結果、材料の無駄を極力削減し、コストを低減することが可能な包装容器を開発した。
【課題を解決するための手段】
【０００６】
本発明に係る包装容器は、上方が開口し、有底で周囲に壁部を有し、壁部上縁には外方に突出した鍔部を有する複数の同一構成のトレーを鍔部が重なるように並べ、鍔部全体に枠体を貼付することにより前記複数のトレーを連結してなる包装容器であって、前記枠体は、２つ以上の外周枠と１つ以上の仕切枠とからなることを特徴とするものである。
【０００７】
また、上記の構成に加え、トレーは、その外壁面が紙製であり、内壁面が合成樹脂被覆面である構成としてもよい。
【０００８】
さらに、上記の構成に加え、仕切枠には切離線が配されている構成としてもよい。
【０００９】
さらにまた、外周枠には２つのコの字型の枠が含まれてなる構成としてもよい。
【００１０】
本発明に係る包装容器は、従来の枠体における外周枠のように閉じられた形状ではなく、枠体が２つ以上の外周枠と１つ以上の仕切枠とで構成されいることにより外周枠が開いた形状となるため、これらの外周枠及び仕切枠を作成する上で生じるくり抜き部分を利用して外周枠又は仕切枠を作成することができるので、材料の無駄がなく、コストが削減できる。
【発明の効果】
【００１１】
したがって、本発明に係る包装容器は、枠体を作成する上で、従来の包装容器において生ずる材料の無駄、及びこれに起因するコスト高の欠点を解消し、製造において材料の無駄がなく、よってコストが削減できるので、安価な包装容器を提供することが可能になる。
【発明を実施するための最良の形態】
【００１２】
以下、本発明に係る包装容器の好適な実施例を添付の図面に基づいて詳細に説明する。
【実施例１】
【００１３】
図１は本実施例に係るトレーの斜視図であり、図２は本実施例に係るトレーを複数並列に並べた状態を示す斜視図であり、図３は本実施例に係るトレーを結合するための枠体の分解状態を示す斜視図であり、図４は図２に示す複数並列状態のトレーを枠体により連結した状態を示す包装容器の斜視図であり、図５は図３に示す枠体を作成するための紙型である。
【００１４】
図１に示すトレーＡは、上方が開口し、有底で周囲に壁部を有し、壁部上縁には外方に突出した鍔部ａ１〜ａ４を有する矩形状の容器であって、外壁面が紙製であり、内壁面が合成樹脂被覆面である。このトレーＡを４個用意し、図２に示すように、鍔部を重ねて田の字状に並べる。図３は、前記の田の字状に並べた４個のトレーＡを連結するための枠体Ｂであって、４個の外周枠Ｂ１〜Ｂ４と２個の仕切枠ｂ１，ｂ２とから構成されており、すべて同一のＬ字状の形状をなし、それぞれ中央位置にミシン目による切離線ｐを配して切離可能になっている。なお、本実施例におけるトレーＡは、外壁面が紙製であり、内壁面が合成樹脂被覆面としたが、これに限られるものではなく、トレー全体が紙製よりなるもの、又は合成樹脂製よりなるものであってもよい。
【００１５】
この外周枠Ｂ１〜Ｂ４を、図４に示すように、田の字状に並べたトレーＡの外周部の鍔部に貼付し、仕切枠ｂ１，ｂ２は、田の字状に並べたトレーＡにおいてトレーＡが隣接して鍔部の重なっている部分に貼付する。なお、外周枠Ｂ１〜Ｂ４及び仕切枠ｂ１，ｂ２の一辺の長さは、トレーＡの鍔部の一辺の長さより若干長く形成されており、田の字状に並べたトレーＡの鍔部に外周枠Ｂ１〜Ｂ４及び仕切枠ｂ１，ｂ２を配した際に、外周枠Ｂ１〜Ｂ４及び仕切枠ｂ１，ｂ２の端部が重なるように構成されている。また、外周枠Ｂ１〜Ｂ４及び仕切枠ｂ１，ｂ２は、鍔部の重なった部分を跨ぐ程度の幅を有していて、仕切枠ｂ１，ｂ２を田の字状に並べたトレーＡの鍔部の重なり部分に配して貼付することにより重なり合った鍔部を固着し、これにより田の字状に並べたトレーＡが連結され、本実施例に係る包装容器１０が完成する。外周枠Ｂ１〜Ｂ４は田の字状に並べたトレーＡの外縁部の強度を高め保形性を向上させる効果がある。また、トレーＡに貼付された状態における外周枠Ｂ１〜Ｂ４同士の交差部、仕切枠ｂ１，ｂ２同士の交差部、及び、外周枠Ｂ１〜Ｂ４と仕切枠ｂ１，ｂ２との交差部は、それぞれ重なり合うことにより強度が増すので、枠体Ｂ全体を構成する紙材料を薄くすることができ、紙材料の節約につながる。
【００１６】
図５は、外周枠Ｂ１〜Ｂ４及び仕切枠ｂ１，ｂ２を作成するための紙型であり、このようにＬ字状の外周枠Ｂ１〜Ｂ４及び仕切枠ｂ１，ｂ２を隣接させて切断することにより、従来の枠体の作成に比べ、紙の無駄が大幅に削減できる。したがって包装容器１０の製造において大幅なコストダウンが達成できる。
【実施例２】
【００１７】
図６は本実施例に係る枠体の分解状態を示す斜視図であり、図７は図２に示す複数並列状態のトレーを、本実施例に係る枠体により連結した状態を示す包装容器の斜視図である。
【００１８】
図６に示す本実施例の枠体２Ｂは、２個のコの字状の外周枠２Ｂ１，２Ｂ２と１個の十字状の仕切枠２ｂとから構成され、仕切枠２ｂの中央にはミシン目による切離線ｐが配されている。そして、図７に示すように、実施例１と同様に田の字状に並べたトレーＡの外周部の鍔部に２個のコの字状の外周枠２Ｂ１，２Ｂ２を貼付し、田の字状に並べたトレーＡにおいて鍔部の重なった部分に仕切枠２ｂを貼付することにより包装容器２０が完成する。外周枠２Ｂ１，２Ｂ２は田の字状に並べたトレーＡの外縁部の強度を高め保形性を向上させる効果がある。また、外周枠２Ｂ１，２Ｂ２同士の交差部、外周枠２Ｂ１，２Ｂ２と仕切枠２ｂの交差部は、それぞれ重なり合うことにより強度が増すので、枠体２Ｂ全体を構成する紙材料を薄くすることができ、紙材料の節約につながる。
【実施例３】
【００１９】
実施例３として、４種類の枠体の変更例を例示する。図８（ａ）はトレー６個の場合における枠体の分解平面図であり、図８（ｂ）はトレー８個の場合における枠体の分解平面図であり、図８（ｃ）はトレー９個の場合における枠体の分解平面図であり、図８（ｄ）はトレー１２個の場合における枠体の分解平面図である。
【００２０】
図８（ａ）に示す枠体３Ｂは、２個のコの字状の外周枠３Ｂ１，３Ｂ２と２個の十字状の仕切枠３ｂ１，３ｂ２とから構成され、十字状の仕切枠３ｂ１，３ｂ２は、その一部ｗが重なり合って配される。図８（ｂ）に示す枠体４Ｂは、２個のコの字状の外周枠４Ｂ１，４Ｂ２と３個の十字状の仕切枠４ｂ１〜４ｂ３とから構成され、十字状の仕切枠４ｂ１〜４ｂ３は、その一部ｗが重なり合って配される。図８（ｃ）に示す枠体５Ｂは、２個のコの字状の外周枠５Ｂ１，５Ｂ２と４個の十字状の仕切枠５ｂ１〜５ｂ４とから構成され、十字状の仕切枠５ｂ１〜５ｂ４は、その一部ｗが重なり合って配される。図８（ｄ）に示す枠体６Ｂは、２個のコの字状の外周枠６Ｂ１，６Ｂ２と４個の十字状の仕切枠６ｂ１〜６ｂ４とＨ字状の仕切枠６ｂ５とから構成され、十字状の仕切枠６ｂ１〜６ｂ４は、その一部ｗが重なり合って配される。
【００２１】
なお、本発明に係る包装容器は、上記実施例に限られるものではなく、トレーＡが矩形以外の形状のものでも可能であり、外周枠と仕切枠とからなる枠体により連結できる構成であればよい。また、枠体についても、上記実施例のものに限られるものではなく、２つ以上の外周枠と１つ以上の仕切枠とから構成されるものであればよい。
【産業上の利用可能性】
【００２２】
本発明に係る包装容器は、冷凍食品用に限られるものではなく、ゼリーやチョコレートなどのお菓子その他の食品の容器としても使用できる。
【図面の簡単な説明】
【００２３】
【図１】実施例１に係るトレーの斜視図である。
【図２】実施例１に係るトレーを複数並列に並べた状態を示す斜視図である。
【図３】実施例１に係るトレーを結合するための枠体の分解状態を示す斜視図である。
【図４】図２に示す複数並列状体のトレーを枠体により連結した状態を示す包装容器の斜視図である。
【図５】図３に示す枠体を作成するための型図である。
【図６】実施例２に係る枠体の分解状態を示す斜視図である。
【図７】図２に示す複数並列状態のトレーを、実施例２に係る枠体により連結した状態を示す包装容器の斜視図である。
【図８】枠体の変更例であって、図中（ａ）はトレー６個の場合における枠体の分解平面図であり、（ｂ）はトレー８個の場合における枠体の分解平面図であり、（ｃ）はトレー９個の場合における枠体の分解平面図であり、（ｄ）はトレー１２個の場合における枠体の分解平面図である。
【図９】従来の枠体を示す斜視図である。
【図１０】従来の枠体を使用して作成した包装容器の斜視図である。
【符号の説明】
【００２４】
１０・・・包装容器                Ａ・・・・トレー
ａ１〜ａ４・・・トレーの鍔部      Ｂ・・・・枠体
Ｂ１〜Ｂ４・・・外周枠            ｂ１，ｂ２・・・仕切枠
２０・・・包装容器                ２Ｂ・・・枠体
２Ｂ１，２Ｂ２・・・外周枠        ２ｂ・・・仕切枠
３Ｂ・・・枠体                    ３Ｂ１，３Ｂ２・・・外周枠
３ｂ１，３ｂ２・・・仕切枠        ４Ｂ・・・枠体
４Ｂ１，４Ｂ２・・・外周枠        ４ｂ１〜４ｂ３・・・仕切枠
５Ｂ・・・枠体                    ５Ｂ１，５Ｂ２・・・外周枠
５ｂ１〜５ｂ４・・・仕切枠        ６Ｂ・・・枠体
６Ｂ１，６Ｂ２・・・外周枠        ６ｂ１〜６ｂ５・・・仕切枠
ｗ・・・仕切枠同士の重なり部      ｐ・・・ミシン目による切離線
【図１】
2008254743.tif 000003
【図２】
2008254743.tif 000004
【図３】
2008254743.tif 000005
【図４】
2008254743.tif 000006
【図５】
2008254743.tif 000007
【図６】
2008254743.tif 000008
【図７】
2008254743.tif 000009
【図８】
2008254743.tif 000010
【図９】
2008254743.tif 000011
【図１０】
2008254743.tif 000012